【事件の表示】
　特願２０００−　１６６３８「入出力インタフェース装置を用いたシステム」拒絶査定不服審判事件〔平成１２年　６月１６日出願公開、特開２０００−１６３１６９〕について、次のとおり審決する。
【結　論】
　本件審判の請求は、成り立たない。
【理　由】
１．手続きの経緯、本願発明の要旨
　本願は、平成３年４月３０日に出願した特願平３−１２４６３５号の一部を平成１２年１月２６日に新たな特許出願としたものであって、その請求項１に係わる発明（以下、「本願発明」という）は、明細書及び図面の記載からみて、平成１６年２月１６日付け手続補正書によって補正された明細書の特許請求の範囲請求項１に記載された次のとおりのものと認める。
「【請求項１】　カード挿入用スロットを有する第１の装置と、
　前記カード挿入用スロットに挿入される入出力インタフェース装置とを備え、
　前記入出力インタフェース装置は、その外形をカード型とし、
　前記カードの一端に設けられ、第１の装置との間で情報の転送を行う為の第１の接続部と、
　前記カードの他端に設けられて、前記第１の装置に対して外部に位置する第２の装置との間で無線により情報を転送する為の第２の接続部と、
　前記第１の接続部を前記カード挿入用スロットに挿入した状態で該第１の接続部と前記第２の接続部との間で情報の転送を可能とする転送部とを有し、
　前記第２の接続部内の無線により情報を転送する為のアンテナは、前記カードの一方の端部の厚さよりその厚さを増大させた増大部に設けられている
　ことを特徴とする入出力インタフェース装置を用いたシステム。」
　
２．引用例
２−１．引用例の記載事項
　これに対して、当審における、平成１５年１２月８日付で通知した拒絶の理由に引用した引用例にはそれぞれ以下の点が記載されている。
　
　第１引用例（実願昭６３−８５８７０号（実開平２−８２５１号）のマイクロフィルム）
・「第１図は本考案の一実施例に係るブロック図、第２図は本実施例の外観図、第３図は本実施例の具体的使用例を示す図である。
　図面において、１はモデム本体である。このモデム本体１の内部には、第１図に示すように、送受信回路３，モデム回路４，読み出し・書き込み回路５、およびバッファ回路６が内蔵されており、また側壁上部には、伸縮自在なアンテナ２がとりつけてある。
　７はコネクタであり、モデム本体１の端部に直接取り付けられている。一方、コンピュータ８，９，１０およびプリンタ１１には、このコネクタ７の係合するコネクタ（図示せず）がそれぞれ設けてある。
　次に、このような構成からなるワイヤレスモデムの作用について説明する。
　コンピュータ８から伝達されてきた情報信号は、アンテナ２を介しモデム本体１の内部に送られる。アンテナ２で受信された情報信号は、送受信回路３に入力され、モデム回路４へ送られる。モデム回路４は入力した情報信号を復調する。復調された情報信号は、読み出し・書き込み回路５へ送られる。６はバッファ回路で、送られてきた情報信号を一時的に記憶する。この記憶された情報信号は、読み出し・書き込み回路５の指示にしたがって順次バッファ回路から呼び出され、コネクタ７を介してプリンタ１１へ送出される。」（明細書第３頁第１１行〜第５頁第１行）
・図面の第１図にはワイヤレスモデムのブロック図、第２図はアンテナ２とモデム本体１とコネクタ７で形成されているワイヤレスモデムの外観図、第３図には複数のコンピュータ８，９，１０及びプリンタ１１にワイヤレスモデムを用いて情報の転送を行う図が記載されており、第２図によるとモデム本体部１はその外形は直方体であり、アンテナ部が突出している。
　
　第２引用例（特開昭６４−８４９２号公報）
・「第１図は、本発明の一構成を示す外観図である。同図に示したように、本発明の携帯形電子装置１は、複数種類の電子回路内蔵カード３（一例として２種類の電子回路内蔵カード３１及び電子回路内蔵カード３２を示した。）を挿抜する装着部であるカード挿抜スリット６と、情報を入力するためのキーボード４と、この情報を表示する表示装置５とから構成されている。またカード挿抜スリット６内には、電子回路内蔵カード３内の回路と、携帯形電子装置１内の回路を電気的に接続するレセプタクル７を備え、これに対応して、電子回路内蔵カード３には接点８が備えられている。」（公報第２頁右下欄第１８行〜第３頁左上欄第１０行）
・「次に第４の実施例について第５図を用いて説明する。電子回路内蔵カード３５が無線メッセージ送受信機となる場合である。まず、送信時の動作について説明する。電子回路内蔵カード３５を携帯形電子装置１に装着させる。メッセージを入力するために、キーボード操作を行い、制御回路４１を働かせ、表示装置５上に案内メッセージを出力させる。それに従って、相手の番号、及び送信しようとするメッセージをキーボード４により入力し、表示装置５上に表示させる。次に、キーボード４上の送信のキーを押すと、表示装置５に表示されたメッセージ等の情報は、インターフェース回路４２を経て送信器４３に取り込まれ、高周波信号に変換されたうえで、アンテナ送受切換器４４を送信状態に切り換えて、アンテナ４５から放射させる。」（公報明細書第５頁左上欄第７行〜右上欄第２行）
・図面の第１図には電子回路内蔵カード３を携帯形電子装置本体のカード挿抜スリット６に挿入する図が記載されている。
　
　第３引用例（特開昭６２−２３２８７７号公報）
・「シリアルポートの拡張ボックス装置」に関するもので、図面の第２図には、送受信部１１が突出している拡張用ボックス装置１０をコンピュータ１に装着した状態が記載されている。
　
　第４引用例（特開昭６２−２４８０５４号公報）
・図面の第４図には、ＲＯＭカートリッジ用のスロットに差し込み、外部機器とデータの送受信を行うバスモデムにおいて、外部と接続する端子は、一方の端部の厚さよりその厚さを増大させた増大部に設ける図が記載されている。
　
２−２．第１引用例に記載された発明
　第１引用例は、ワイヤレスモデムを用いてコンピュータ（８，９，１０）とプリンタ（１１）間で情報の転送を行うシステムを構成しているから、上記第１引用例には次の発明が記載されているものと認められる。
「コネクタを有するコンピュータ（８，９，１０）と、
該コネクタに係合するコネクタ（７）を備えたワイヤレスモデムとを備え、
　前記ワイヤレスモデムのモデム本体（１）の外形は直方体であり、
　前記ワイヤレスモデムの一端に設けられ、コンピュータ（８，９，１０）との間で情報の転送を行う為のコネクタ（７）及び読み出し書き込み回路（５）と、
　前記ワイヤレスモデムの他端に設けられて、前記コンピュータに対して外部に位置するプリンタ（１１）との間で無線により情報を転送する為のアンテナ（２）及び送受信回路（３）と、
　前記コネクタ（７）をコンピュータのコネクタに接続した状態で該コネクタ（７）及び読み出し書き込み回路（５）と前記アンテナ（２）及び送受信回路（３）との間で情報の転送を可能とするモデム回路（４）とを有し、
　無線により情報を転送する為の該アンテナ（２）は、モデム本体より突出した部分として設けられている
　ことを特徴とするワイヤレスモデムを用いたシステム」
　
　
３．対比
　本願発明と第１引用例に記載された発明とを対比すると、第１引用例に記載された発明の「ワイヤレスモデム」，「コンピュータ（７，８，９）」，「プリンタ（１１）」，「コネクタ（７）及び読み出し書き込み回路（５）」，「アンテナ（２）及び送受信回路（３）」，「モデム回路（４）」は、それぞれ本願発明の「入出力インタフェース装置」，「第１の装置」，「第２の装置」，「第１の接続部」，「第２の接続部」，「転送部」に相当するので、両者は以下のとおりの一致点及び相違点を有するものと認められる。
（一致点）
「第１の装置と、
　入出力インタフェース装置とを備え、
　前記入出力インタフェース装置の一端に設けられ、第１の装置との間で情報の転送を行う為の第１の接続部と、
　前記入出力インタフェース装置の他端に設けられて、前記第１の装置に対して外部に位置する第２の装置との間で無線により情報を転送する為の第２の接続部と、
　該第１の接続部と前記第２の接続部との間で情報の転送を可能とする転送部とを有し、
　前記第２の接続部内の無線により情報を転送する為のアンテナが設けられている
　ことを特徴とする入出力インタフェース装置を用いたシステム。」
　
（相違点１）本願発明が、“入出力インタフェース装置は、その外形をカード型とし、第１の装置に有するカード挿入用スロットに入出力インタフェース装置の第１の接続部を挿入した状態で情報の転送を行う”のに対して、第１引用例に記載された発明は、“入出力インタフェース装置は本体部の外形が直方体であり、第１の装置に有するコネクタに入出力インタフェース装置の第１の接続部を接続した状態で情報の転送を行う”点。
　
（相違点２）本願発明が、“アンテナは入出力インタフェース装置の一方の端部の厚さよりその厚さを増大させた増大部に設けられている”のに対して、第１引用例に記載された発明は“アンテナは入出力インタフェース装置のモデム本体より突出した部分として設けられている”点
　
　
４．当審の判断
４−１．相違点１について
　第２引用例に記載されているように、外形がカード型の電子回路内蔵カード（本願発明の「入出力インタフェース装置」に相当。）を本体（本願発明の「第１の装置」に相当。）のカード挿抜スリット（本願発明の「カード挿入用スロット」に相当。）に挿入した状態で無線により情報の転送を行うことは、すでに知られた技術である。
　ここで、第１引用例に記載された発明及び第２引用例に記載された技術はどちらも、第１の装置と第２の装置との間で無線により情報を転送するために、第１の装置の接続部に入出力インタフェース装置を設ける点で同じ技術分野に属する。
　よって、第１引用例に記載された発明に第２引用例に記載された技術を適用して、入出力インタフェース装置の外形をカード型とし、第１の装置に有するカード挿入用スロットに入出力インタフェース装置の第１の接続部を挿入した状態で情報の転送を行うように構成することは、当業者が容易に推考し得たものと認められる。
　また、これにより奏する作用効果も、当業者が予測し得る程度のものであって格別のものとは認められない。
　
４−２．相違点２について
　第１引用例及び第３引用例に記載されているように、アンテナや送受信部を良好な無線通信状態を維持するために入出力インタフェース装置本体の形状に対して出っ張らせて構成することは、周知慣用技術である。（他に必要であれば「特開昭５９−１６０３２６号公報」を参照のこと。）
　一方、第２引用例には、入出力インタフェース装置のアンテナを該入出力インタフェース装置の厚さを増大させることなく内蔵する構成も記載されている。
　そして、第４引用例には、バスモデム（本願発明の「入出力インタフェース装置」に相当。）の一方の端部の厚さよりその厚さを増大させた増大部に外部装置との接続部を設けることが記載されており、このように機器本体に接続する入出力インタフェース装置の形状を一方の端部の厚さよりその厚さを増大させる構成とすることは周知慣用技術である。
　したがって、第１引用例に記載された発明において、出っ張らせて構成しているアンテナを入出力インタフェース装置本体に内蔵とするものの、一方の端部の厚さよりその厚さを増大させた増大部にアンテナを設けるように構成することは、当業者が容易に推考し得たものと認められる。
　また、これにより奏する作用効果も、当業者が予測し得る程度のものであって格別のものとは認められない。
　
　
５．むすび
以上のとおりであるから、本願発明は第１引用例乃至第４引用例に記載された発明および当該技術分野において周知の事項に基いて当業者が容易に発明をすることができたものであるから、特許法第２９条第２項の規定により特許を受けることができない。
　したがって、本願は、その余の請求項について論及するまでもなく、拒絶すべきものである。
　よって結論のとおり審決する。